(57)【要約】【課題】パリソンの外径に対応させて変更する新たな初期設定高さを与える作業は煩雑であり、クロスヘッドのダイの初期高さの調節変更に多大の時間がかかると共に、クロスヘッドが左右に傾かないように再芯出しを行う作業には熟練が必要で、特殊技能を備えた人が行う必要がある。【解決手段】スイング台１３を基台１６に傾動自在に支持する支点１８と、電動機１９の回転駆動によつてスイング台１３を昇降させてスイング台１３に所定の傾斜姿勢を採らせる傾動手段５０とを有し、金型３からクロスヘッド１までの間隔Ｘによつて与えられるクロスヘッド１の初期設定高さを、電動機１９を正又は逆回転させて傾動手段５０によつてスイング台１３の後端部を昇降させ、スイング台１３に所定の傾斜姿勢を採らせることにより与え、クロスヘッド１を初期設定高さから上昇させて連続的に垂下するパリソン１Ａのたるみをとり、支えた状態で切断する。【選択図】        図１
2004262187.tif 000002
【特許請求の範囲】
【請求項１】
押出機（１０）に接続するクロスヘッド（１）から垂下するパリソン（１Ａ）を金型（３）で保持し、押出機（１０）を載置するスイング台（１３）の傾斜角度を増減変化させることによつてクロスヘッド（１）を昇降させると共に、クロスヘッド（１）を初期設定高さから上昇させて連続的に垂下するパリソン（１Ａ）のたるみをとり、支えた状態で切断する中空成形機のクロスヘッドの高さ調節方法において、
スイング台（１３）を基台（１６）に傾動自在に支持する支点（１８）と、電動機（１９）の回転駆動によつてスイング台（１３）を傾斜させてスイング台（１３）に所定の傾斜姿勢を採らせるスイング台傾動手段（５０）とを有し、
金型（３）からクロスヘッド（１）までの間隔（Ｘ）によつて与えられるクロスヘッド（１）の初期設定高さを、電動機（１９）を正又は逆回転させてスイング台傾動手段（５０）によつてスイング台（１３）を傾斜させ、スイング台（１３）に所定の傾斜姿勢を採らせることにより与えることを特徴とする中空成形機のクロスヘッドの高さ調節方法。
【請求項２】
押出機（１０）に接続するクロスヘッド（１）から垂下するパリソン（１Ａ）を金型（３）で保持し、押出機（１０）を載置するスイング台（１３）の傾斜角度を増減変化させることによつてクロスヘッド（１）を昇降させると共に、クロスヘッド（１）を初期設定高さから上昇させて連続的に垂下するパリソン（１Ａ）のたるみをとり、支えた状態で切断する中空成形機のクロスヘッドの高さ調節装置において、
スイング台（１３）を基台（１６）に傾動自在に支持する支点（１８）と、電動機（１９）の回転駆動によつてスイング台（１３）を傾斜させてスイング台（１３）に所定の傾斜姿勢を採らせるスイング台傾動手段（５０）と、制御部（４０）とを有し、
制御部（４０）が、クロスヘッド（１）の新たな初期設定高さ（Ｘ１、Ａ、Ｂ、Ｃ）を入力する入力手段（４１）と、クロスヘッド（１）の現在の初期設定高さ（Ｘ１、Ａ、Ｂ、Ｃ）とクロスヘッド（１）の新たな初期設定高さ（Ｘ１、Ａ、Ｂ、Ｃ）との差値を求める差値演算手段（４２）と、求めた差値に応じて電動機（１９）を正又は逆に回転駆動させる駆動値出力手段（４３）とを備えると共に、
金型（３）からクロスヘッド（１）までの間隔（Ｘ）によつて与えられるクロスヘッド（１）の初期設定高さを新たな初期設定高さ（Ｘ１、Ａ、Ｂ、Ｃ）に変更する際に、駆動値出力手段（４３）によつて電動機（１９）を回転駆動してスイング台（１３）に所定の傾斜姿勢を採らせ、新たな初期設定高さ（Ｘ１、Ａ、Ｂ、Ｃ）を与えることを特徴とする中空成形機のクロスヘッドの高さ調節装置。
【発明の詳細な説明】
【０００１】
【発明の属する技術分野】
本発明は、中空成形機のクロスヘッドの高さ調節方法及びその装置に関するものである。
【０００２】
【従来の技術及びその課題】
従来の中空成形機として、例えば特許第２５６５６３３号に記載されるものが知られている。これは、図５に示すように押出機１０に接続して一体をなすクロスヘッド１を有する。クロスヘッド１の下方には開閉自在な第１金型部３ａ及び第２金型部３ｂとからなる金型３が配置されている。金型３は、左右方向（図５上で紙面に垂直方向）に移動するが、上下方向（Ａ，Ｂ方向）には固定である。また、クロスヘッド１の下方には、クロスヘッド１から垂下する筒状のパリソン１Ａを金型３の上方で切断するカッター２が設けられている。
【０００３】
押出機１０は、スイング台１３上に着脱可能に載置固定され、スイング台１３と共に押出機１０が傾動することにより、クロスヘッド１が上下方向（Ａ，Ｂ方向）に移動する。スイング台１３は、中間部の支点である支軸１８を介して基台１６に回動自在に支持され、後端側の揺動リンク１５を有するスイング台傾動手段５０の作動により、支軸１８を支点として傾動する。
【０００４】
スイング台傾動手段５０は、回転ねじ２１、ナット２４、リンクホルダ２５、揺動リンク１５等を有し、基台１６上に設けた駆動装置であるＡＣサーボモータからなる電動機１９によつて駆動される。電動機１９にカップリング２０を介して接続された回転ねじ２１が、基台１６に対して前後移動が噛み合いガイドとレールとによつて案内される移動体２３のナット２４に螺合され、移動体２３のリンクホルダ２５とスイング台１３側とが揺動リンク１５を介して作動自在に連結されている。従つて、ナット２４とリンクホルダ２５とは、移動体２３を介して一体をなしている。なお、支軸１８からなる支点の位置は、押出機１０を載置したスイング台１３の重量バランスがとれた位置と一致させ、軽い力で押出機１０を傾動できるようにしてある。
【０００５】
支軸１８は、高さ調節装置３０を介して基台１６に設けられている。すなわち、図６，図７に示すように基台１６に螺合させた４本のロックボルト３０ａに円筒状をなす調節ボルト３０ｂが回転自在に外嵌され、この調節ボルト３０ｂに平板状の支持部材１２ａの四隅が螺合している。また、支持部材１２ａには、各調節ボルト３０ｂの付近として支持体１２が固設されている。この各支持体１２と、各支持体１２に対応させてスイング台１３の下面に固設した支持片１３ａとに支軸１８を挿通してある。１３ｂは軸受である。
【０００６】
クロスヘッド１から垂下するパリソン１Ａは、型開き状態の金型３内に受け入れ、金型３を型閉じすることにより、パリソン１Ａが金型３のキャビティに保持される。このとき、クロスヘッド１、押出機１０及びスイング台１３は、図５に実線で示すほぼ水平な状態にあり、クロスヘッド１は初期設定高さにある。
【０００７】
次いで、電動機１９によつてスイング台傾動手段５０を作動させ、点線で示すようにスイング台１３の後端部を下降させて支軸１８の回りに傾動させ、これによつてクロスヘッド１を矢印Ａの方向に上昇させ、連続的に垂下するパリソン１Ａがたるまないように支える。すなわち、電動機１９を一方向に回転駆動させ、回転ねじ２１によつてナット２４、移動体２３、リンクホルダ２５及び揺動リンク１５の下端部を後退させ、スイング台１３に所定のスイング量を与える。また、金型３が型閉じした後に、パリソン１Ａ内にクロスヘッド１の内部を通じてサポートエアーを吹き込み、パリソン１Ａを金型３の上部の口金部に沿つて膨らます。この支えられた状態のパリソン１Ａがカッター２によつて所定の長さに切断され、切り口が金型３の上部よりもわずかに上方に位置する状態となる。パリソン１Ａの上部の膨みは、切り口が杯状に開いて金型３の口金部に支えられるように機能する。
【０００８】
次に、電動機１９を逆方向に回転駆動させ、回転ねじ２１によつてナット２４、移動体２３、リンクホルダ２５及び揺動リンク１５の下端部を電動機１９側に前進させ、スイング台１３を傾斜位置から水平方向に傾動させて戻す。これにより、クロスヘッド１が矢印Ｂ方向に下降し、所定のスイング量が与えられて元の下降位置（初期設定高さ位置）に戻る。
【０００９】
このような中空成形機のクロスヘッド１では、成形品のサイズが変更になつた際、すなわちパリソン１Ａの外径を変更したときに、その外径に合わせて、金型３の上面からクロスヘッド１のダイ１１の下面までの間隔Ｘつまりクロスヘッド１の初期設定高さの調節を行う必要がある。初期設定高さ（Ｘ）の調節について説明する。
【００１０】
上述したように金型３が型閉じした後に、パリソン１Ａ内にサポートエアーを吹き込み、金型３の上部の口金部に沿うようにパリソン１Ａを膨らます作業を行う。このとき、金型３の上面からクロスヘッドのダイ１１の下面までの間隔Ｘが狭いと、パリソン１Ａが横に大きく広がり、この部分から下方の肉厚が薄くなり、成形品の首部の成形に支障をきたす。一方、間隔Ｘが大き過ぎると、上バリが多くなり、合成樹脂が無駄になる。従つて、金型３の口金部にパリソン１Ａの膨らみが良くならうような間隔に、クロスヘッド１のダイ１１の高さを調節する必要がある。クロスヘッド１の初期設定高さ（Ｘ）の調節は、パリソン１Ａの外径が大きくなる程大きくするように行う。
【００１１】
このクロスヘッド１のダイ１１の初期設定高さ（Ｘ）の調節変更は、支軸１８の高さを調節するように設けた高さ調節装置３０により、次のようにして行つている。先ず、オペレータが現在の初期設定高さ（Ｘ）である金型３の上面とクロスヘッド１のダイ１１の下面との間隔Ｘを物差しで測り、パリソン１Ａの外径に対応させて変更する新たな初期設定高さ（Ｘ）との差値つまり増減寸法を確認・把握する。その後、この増減寸法に合わせて高さ調節装置３０の四隅の高さを調節する。すなわち、図６，図７に示す４個のロックボルト３０ａを弛めて各調節ボルト３０ｂを回し、支持部材１２ａ及び支持体１２の高さを調節する。これにより、支軸１８（支点）を上下させてクロスヘッド１のダイ１１の初期設定高さを与える。
【００１２】
このように、パリソン１Ａの外径に対応させて変更する新たな初期設定高さ（Ｘ）を与える作業は煩雑であり、クロスヘッド１のダイ１１の初期高さの調節変更に多大の時間がかかると共に、クロスヘッド１が左右（図７上で左右）に傾かないように再芯出しを行う作業には熟練が必要で、教育を受けて特殊技能を備えた人が行う必要があつた。
【００１３】
本発明は、クロスヘッド１の高さが移動体２３の前後方向の移動によつて変更して与えられることに着目してなされ、押出機１０のクロスヘッド１の新たな上昇スイング開始点となる初期設定高さ（Ｘ）を、現在の初期設定高さ（Ｘ）を与える移動体２３を前後に移動させることによつて与えるものであり、新たな高さを数値設定することにより、初期設定高さ（Ｘ）を任意に、また、自動的に変更する方法及びその装置を提供することを目的としている。
【００１４】
【課題を解決するための手段】
本発明は、このような従来の技術的課題に鑑みてなされたものであり、その構成は次の通りである。
請求項１に係る発明の構成は、押出機１０に接続するクロスヘッド１から垂下するパリソン１Ａを金型３で保持し、押出機１０を載置するスイング台１３の傾斜角度を増減変化させることによつてクロスヘッド１を昇降させると共に、クロスヘッド１を初期設定高さから上昇させて連続的に垂下するパリソン１Ａのたるみをとり、支えた状態で切断する中空成形機のクロスヘッドの高さ調節方法において、
スイング台１３を基台１６に傾動自在に支持する支点（１８）と、電動機１９の回転駆動によつてスイング台１３を傾斜させてスイング台１３に所定の傾斜姿勢を採らせるスイング台傾動手段５０とを有し、
金型３からクロスヘッド１までの間隔Ｘによつて与えられるクロスヘッド１の初期設定高さを、電動機１９を正又は逆回転させてスイング台傾動手段５０によつてスイング台１３を傾斜させ、スイング台１３に所定の傾斜姿勢を採らせることにより与えることを特徴とする中空成形機のクロスヘッドの高さ調節方法である。
請求項２の発明の構成は、押出機１０に接続するクロスヘッド１から垂下するパリソン１Ａを金型３で保持し、押出機１０を載置するスイング台１３の傾斜角度を増減変化させることによつてクロスヘッド１を昇降させると共に、クロスヘッド１を初期設定高さから上昇させて連続的に垂下するパリソン１Ａのたるみをとり、支えた状態で切断する中空成形機のクロスヘッドの高さ調節装置において、
スイング台１３を基台１６に傾動自在に支持する支点（１８）と、電動機１９の回転駆動によつてスイング台１３を傾斜させてスイング台１３に所定の傾斜姿勢を採らせるスイング台傾動手段５０と、制御部４０とを有し、
制御部４０が、クロスヘッド１の新たな初期設定高さＸ１、Ａ、Ｂ、Ｃを入力する入力手段４１と、クロスヘッド１の現在の初期設定高さＸ１、Ａ、Ｂ、Ｃとクロスヘッド１の新たな初期設定高さＸ１、Ａ、Ｂ、Ｃとの差値を求める差値演算手段４２と、求めた差値に応じて電動機１９を正又は逆に回転駆動させる駆動値出力手段４３とを備えると共に、
金型３からクロスヘッド１までの間隔Ｘによつて与えられるクロスヘッド１の初期設定高さを新たな初期設定高さＸ１、Ａ、Ｂ、Ｃに変更する際に、駆動値出力手段４３によつて電動機１９を回転駆動してスイング台１３に所定の傾斜姿勢を採らせ、新たな初期設定高さＸ１、Ａ、Ｂ、Ｃを与えることを特徴とする中空成形機のクロスヘッドの高さ調節装置である。
【００１５】
【発明の実施の形態】
本発明の１実施の形態について図１〜図４を参照して説明する。なお、従来例と同一機能部分には同一符号を付してある。本発明は、従来例と比較して、高さ調節装置３０を備えず、これに代えて制御部４０を備える点で相違している。
【００１６】
中空成形機は、図１に示すように押出機１０に接続して一体をなすクロスヘッド１を有する。クロスヘッド１の下方には開閉自在な第１金型部３ａ及び第２金型部３ｂとからなる金型３が配置されている。金型３は、左右方向（図１上で紙面に垂直方向）に移動するが、上下方向（Ａ，Ｂ方向）には固定である。また、クロスヘッド１の下方には、クロスヘッド１から連続的に垂下する筒状のパリソン１Ａを金型３の上方で切断するカッター２が設けられている。
【００１７】
押出機１０は、スイング台１３上に着脱可能に載置固定され、スイング台１３と共に押出機１０が傾動することにより、クロスヘッド１が上下方向（Ａ，Ｂ方向）に移動自在である。スイング台１３は、中間部の支点である支軸１８を介して基台１６に回動自在に支持され、後端側の揺動リンク１５を有するスイング台傾動手段５０の作動により、支軸１８を支点として傾動する。
【００１８】
スイング台傾動手段５０は、回転ねじ２１、ナット２４、リンクホルダ２５、揺動リンク１５等を有し、基台１６上に設けた駆動装置であるＡＣサーボモータからなる電動機１９によつて駆動される。電動機１９にカップリング２０を介して接続された回転ねじ２１が、基台１６に対して前後移動が案内される移動体２３のナット２４に螺合され、移動体２３のリンクホルダ２５とスイング台１３側とが揺動リンク１５を介して作動自在に連結されている。移動体２３は、噛み合いガイドとレールとの係合によつて案内されながら、基台１６に対して前後移動し、また、揺動リンク１５は、上端部がスイング台１３にピン結合され、下端部がリンクホルダ２５にピン結合されて揺動自在である。揺動リンク１５の下端部が最前進位置を採ることにより、クロスヘッド１が最下降位置を採るようになつている。
【００１９】
従つて、ナット２４とリンクホルダ２５とは、移動体２３を介して一体をなしている。なお、支軸１８からなる支点の位置は、押出機１０を載置したスイング台１３の重量バランスがとれた位置と一致させ、軽い力でクロスヘッド１及び押出機１０を傾動できるようにしてある。以上の構成は、従来例と実質的に異ならない。
【００２０】
支軸１８は、支持体１２と支持片１３ａとに挿通してある。支持体１２は、基台１６に直接固設され、支持片１３ａは、支持体１２に対応させてスイング台１３の下面に固設されている。
【００２１】
また、コンピューターによつて構成される制御部４０を備える。制御部４０は、基台１６上に設けたＡＣサーボモータからなる電動機１９を制御することにより、クロスヘッド１の初期設定高さ（Ｘ）を調節する装置の主要部を構成している。
【００２２】
電動機１９を正又は逆回転させ、スイング台１３に所定の傾斜姿勢を採らせることにより、金型３の上面からクロスヘッド１のダイ１１の下面までの間隔Ｘを所望に与えることができるから、パリソン１Ａの外径に応じたクロスヘッド１の初期設定高さ（Ｘ）は、移動体２３に前後水平方向の移動量を与えてスイング台１３に所定の傾斜姿勢を採らせることにより与えることができる。
【００２３】
制御部４０のコンピューターは、図３，図４に示すようにクロスヘッド１の新たな初期設定高さＸ１、Ａ、Ｂ、Ｃを入力する新たな初期設定高さ入力手段４１と、入力された初期設定高さＸ１、Ａ、Ｂ、Ｃを記憶する記憶手段４４と、クロスヘッド１の現在の初期設定高さＸ１、Ａ、Ｂ、Ｃとクロスヘッド１の新たな初期設定高さＸ１、Ａ、Ｂ、Ｃとの差値を求める差値演算手段４２と、求めた差値に応じた駆動値を設定し、駆動値に応じて電動機１９を正又は逆に回転駆動させる駆動値出力手段４３として機能する。
【００２４】
現在、クロスヘッド１に所定の初期設定高さＸ１、Ａ、Ｂ、Ｃが与えられている状態で、オペレータが新たな初期設定高さＸ１、Ａ、Ｂ、Ｃを数値として入力手段４１に入力すると、差値演算手段４２では、記憶手段４４に予め記憶されている現在のクロスヘッド１の初期設定高さＸ１、Ａ、Ｂ、Ｃを読み込むと共に、新たな初期設定高さＸ１、Ａ、Ｂ、Ｃを読み込み、現在のクロスヘッド１の初期設定高さＸ１、Ａ、Ｂ、Ｃと新たなクロスヘッド１の初期設定高さＸ１、Ａ、Ｂ、Ｃとの差値を求める。
【００２５】
そして、駆動値出力手段４３は、求めた差値に応じた駆動値を出力し、駆動値によつて電動機１９を正又は逆回転させる。この差値に応じた電動機１９の回転駆動、つまり差値に応じた駆動値が零になるまでの電動機１９の回転駆動により、移動体２３に前後方向の移動量を与え、スイング台１３の後端部を昇降させてスイング台１３に支軸１８回りの所定の傾斜姿勢を採らせる。かくして、新たな初期設定高さＸ１、Ａ、Ｂ、Ｃが与えられる。入力手段４１に入力した新たな初期設定高さＸ１、Ａ、Ｂ、Ｃの数値は、現在のクロスヘッド１の初期設定高さＸ１、Ａ、Ｂ、Ｃとして記憶手段４４に記憶される。
【００２６】
上述したように、間隔Ｘの調節は、パリソン１Ａの外径が大きくなる程大きくなるように行うから、パリソン１Ａの外径が図３に示すように例えば４種類であるとき、クロスヘッド１の上昇スイング開始点となるとなる初期設定高さ（Ｘ＝Ｘ１、Ａ、Ｂ、Ｃ）は、最小の初期設定高さＸ１に対して高さ０、Ａ１、Ｂ１又はＣ１のいずれかを加えることによつて得られる。この初期設定高さＸ１、Ａ、Ｂ、Ｃは、それぞれ初期設定高さＸ１に対応する最前進位置にある移動体２３に対し後方向への移動量０、Ａ２、Ｂ２又はＣ２％を与えることで得られる。
【００２７】
図３に示すＳは、最小の初期設定高さＸ１を与えた状態でのクロスヘッド１のスイング量、Ｓ１は初期設定高さＸ１＋Ａ１＝Ａを与えた状態でのクロスヘッド１のスイング量、Ｓ２は初期設定高さＸ１＋Ｂ１＝Ｂを与えた状態でのクロスヘッド１のスイング量、Ｓ３は初期設定高さＸ１＋Ｃ１＝Ｃを与えた状態でのクロスヘッド１のスイング量である。また、Ｌは、最小の初期設定高さＸ１を与えた状態でクロスヘッド１にスイング量Ｓを与えるときの移動体２３の移動量であり、１００％である。なお、初期設定高さＸ１、Ａ、Ｂ、Ｃのいずれを与えた状態でも、クロスヘッド１の上昇スイング終了時点での移動体２３の移動量は、１００％になるようにしてある。但し、実際にはパリソン１Ａの外径は無段階に変更させるので、不変の最小の初期設定高さＸ１に対する高さＡ１、Ｂ１又はＣ１は、任意かつ連続的である。
【００２８】
いま、現在の高さＸ１、Ａ、Ｂ、Ｃのいずれかから任意の異なる新たな高さＸ１、Ａ、Ｂ、Ｃに変更するとき、新たな高さＸ１、Ａ、Ｂ、Ｃを入力手段４１に数値によつて入力すると、現在の高さＸ１、Ａ、Ｂ、Ｃと新たな高さＸ１、Ａ、Ｂ、Ｃとの差値が差値演算手段４２によつて求められ、その差値に応じた駆動値出力手段４３からの駆動値により、移動体２３に前後方向の移動量が与えられる。これにより、任意の新たな初期設定高さＸ１、Ａ、Ｂ、Ｃが自動的に与えられる。
【００２９】
例えば、現在の高さＸ１で、変更後のダイ１１の高さが任意の数値Ａの場合には、数値Ａを入力手段４１に入力すると、差値（Ｘ１−Ａ＝−Ａ１）に応じて移動体２３に後方向の移動量（Ａ２％）が与えられ、金型３からの高さ（Ｘ）は、最小のダイ１１高さＸ１ｍｍとＡ１ｍｍとを加算した数に自動的に変更される。スイングの量は、Ｓ１ｍｍとなる。スイングの量がＳ１ｍｍのときの移動体２３の移動量は、（１００−Ａ２）％となる。このときに、電動機１９は、移動体２３を移動開始位置Ａ２と１００％の点との間で移動させる。なお、リンク比によつて定まる実際のクロスヘッド１、押出機１０及びスイング台１３のスイングは、例えばクロスヘッド１のスイング量の最大Ｓ＝４７ｍｍのとき、移動体２３の水平方向の移動量Ｌ＝５５ｍｍでなされる。
【００３０】
次に、作用について説明する。
クロスヘッド１から垂下するパリソン１Ａは、型開き状態の金型３内に受け入れ、金型３を型閉じすることにより、パリソン１Ａが金型３のキャビティに保持される。このとき、クロスヘッド１、押出機１０及びスイング台１３は、実線で示すほぼ水平状態にあり、クロスヘッド１は初期設定高さに位置する。
【００３１】
次いで、電動機１９によつてスイング台傾動手段５０を作動させ、点線で示すようにスイング台１３の後端部を下降させて支軸１８の回りに傾動させ、これによつてクロスヘッド１を矢印Ａの方向に上昇させ、パリソン１Ａをほぼ垂直方向に上昇させてたるまないようにする。すなわち、電動機１９を一方向に回転駆動させ、回転ねじ２１によつてナット２４、移動体２３、リンクホルダ２５及び揺動リンク１５の下端部を所定の移動量１００％、１００−Ａ２％、１００−Ｂ２％又は１００−Ｃ２％で後退させ、クロスヘッド１の初期設定高さＸ１、Ａ、Ｂ又はＣに応じたスイング量Ｓ，Ｓ１，Ｓ２，Ｓ３をスイング台１３、押出機１０及びクロスヘッド１に与える。また、金型３が型閉じした後に、パリソン１Ａ内にクロスヘッド１の内部を通じてサポートエアー（図２に矢印ａで示す）を吹き込み、パリソン１Ａを金型３の上部の口金部に沿つて膨らます。このたるみを除去して支えた状態のパリソン１Ａがカッター２によつて所定の長さに切断され、切り口が金型３の上部よりもわずかに上方に位置する状態となる。パリソン１Ａの上部の膨みは、切り口が杯状に開いて金型３の口金部に支えられるように機能する。
【００３２】
次に、電動機１９を逆方向に回転駆動させ、回転ねじ２１によつてナット２４、移動体２３、リンクホルダ２５及び揺動リンク１５の下端部を電動機１９側に前進させ、スイング台１３を傾斜位置からほぼ水平状態に傾動させて戻す。これにより、クロスヘッド１が矢印Ｂ方向に下降し、クロスヘッド１の初期設定高さＸ１、Ａ、Ｂ、Ｃに応じた所定のスイング量Ｓ，Ｓ１，Ｓ２，Ｓ３が与えられて元の下降位置（初期設定高さ位置）に戻る。
【００３３】
このようなクロスヘッド１を備える中空成形機において、成形品のサイズつまりパリソン１Ａの外径を変更したときに、その外径に合わせて、金型３の上面からクロスヘッド１のダイ１１の下面までの間隔Ｘつまりクロスヘッド１の初期設定高さの調節を行う。
【００３４】
現在、クロスヘッド１に所定の初期設定高さＸ１、Ａ、Ｂ、Ｃが与えられている状態で、オペレータが新たな異なる初期設定高さＸ１、Ａ、Ｂ、Ｃを任意の数値として入力手段４１に入力すると、差値演算手段４２では、記憶手段４４に記憶されている現在のクロスヘッド１の初期設定高さＸ１、Ａ、Ｂ、Ｃを読み込むと共に、新たな初期設定高さＸ１、Ａ、Ｂ、Ｃを読み込み、現在のクロスヘッド１の初期設定高さＸ１、Ａ、Ｂ、Ｃと新たな異なるクロスヘッド１の初期設定高さＸ１、Ａ、Ｂ、Ｃとの差値を求める。そして、駆動値出力手段４３は、求めた差値に応じて電動機１９を正又は逆回転させる。この差値に応じた電動機１９の回転駆動により、スイング台１３の後端部を昇降させてスイング台１３に所定の姿勢を採らせ、新たな初期設定高さＸ１、Ａ、Ｂ、Ｃが与えられる。
【００３５】
上記の一連の動作、つまりクロスヘッド１、押出機１０及びスイング台１３が実線で示す初期設定高さで行うパリソン１Ａの金型３のキャビティへの保持動作、クロスヘッド１を矢印Ａ方向に上昇させ、連続的に垂下するパリソン１Ａの垂直方向のたるみをとり、支える動作、たるみのない状態のパリソン１Ａを所定の長さに切断する動作、及び電動機１９を逆方向に回転駆動させ、スイング台１３を傾斜位置から水平方向に傾動させて戻し、クロスヘッド１を元の下降位置（初期設定高さ位置）に戻す動作は、新たな初期設定高さＸ１、Ａ、Ｂ、Ｃを基準として行われる。
【００３６】
【発明の効果】
以上の説明によつて理解されるように、本発明に係る中空成形機のクロスヘッドの高さ調節方法及びその装置によれば、次の効果を奏し得る。
スイング台を傾動自在に支持する支点は移動させることなく、電動機の回転駆動によつてスイング台を昇降させてスイング台に所定の傾斜姿勢を採らせるスイング台傾動手段の作動により、金型からクロスヘッドまでの間隔によつて与えられるクロスヘッドの初期設定高さを与える。その結果、クロスヘッドの初期設定高さの調節作業が著しく能率化され、作業時間を短縮させることができる。
【００３７】
加えて、クロスヘッドの初期設定高さ調節作業が、熟練を要することなく、誰にでも簡単に行えるようになる。
【００３８】
請求項２に係る発明によれば、構造簡素な装置により、上記効果を奏することができる。加えて、クロスヘッドの新たな初期設定高さを数値によつて入力し、数値管理できることになるので、設定間違いが生じ難くなる。
【図面の簡単な説明】
【図１】本発明の１実施の形態に係る中空成形機のクロスヘッドの高さ調節装置を示す側面図。
【図２】同じく要部を示す断面図。
【図３】同じく金型上面からの高さ−初期設定高さ及び移動体の移動量の関係を示す線図。
【図４】同じく構成要素を示す図。
【図５】従来の中空成形機のクロスヘッドの高さ調節装置を示す側面図。
【図６】同じく高さ調節装置を示す側面図。
【図７】同じく高さ調節装置を一部切断して示す正面図。
【符号の説明】
１：クロスヘッド、１Ａ：パリソン、２：カッター、３：金型、１０：押出機、１１：ダイ、１３：スイング台、１６：基台、１８：支軸（支点）、１９：電動機、４０：制御部、４１：入力手段、４２：差値演算手段、４３：駆動値出力手段、４４：記憶手段、５０：スイング台傾動手段、Ａ、Ｂ、Ｃ：初期設定高さ、０、Ａ２、Ｂ２、Ｃ２：移動体の移動開始位置、Ｓ：最小の初期設定高さのときのクロスヘッドのスイング量、Ｘ：間隔、Ｘ１：最小の初期設定高さ。
【図１】
2004262187.tif 000003
【図２】
2004262187.tif 000004
【図３】
2004262187.tif 000005
【図４】
2004262187.tif 000006
【図５】
2004262187.tif 000007
【図６】
2004262187.tif 000008
【図７】
2004262187.tif 000009